(57)【要約】【課題】現地における測定を不要としながらも、より高精度で屋根の形状などの情報を取得し、高精度で太陽電池モジュールの配置を設定可能な太陽光発電装置設置支援システムを提供すること。【解決手段】コンピュータ３０が、住宅情報データベース２２から、太陽光発電装置１０の設置対象となる住宅Ｈの情報（建物データ）を読み込む処理（ステップＳ１０３）と、読み込んだ情報（建物データ）における屋根ＲＦの平面形状、屋根勾配、住宅Ｈの方位に基づいて、屋根ＲＦにおけるモジュール１１を設置する設置面として屋上ブロックパターンを決定する処理（ステップＳ１０４ｂ）と、特定した屋上ブロックパターンに対し、モジュール１１の設置数および配置を求める処理（ステップＳ１０５ｂ）と、モジュール１１の設置数および配置を出力する処理（Ｓ１０８ｂ）と、を実行することを特徴とする太陽光発電装置設置支援システムとした。【選択図】図１
2018173932.tif 000002
【特許請求の範囲】
【請求項１】
予め、複数の建物に関し、各建物の屋根の平面形状、屋根勾配、前記建物の方位、住所を含む建物データが格納された建物データベースと、
予め、設置する太陽光発電装置の太陽電池モジュールに関するデータが格納された太陽光発電装置データベースと、
前記建物データベースに格納された前記建物データを読み込み前記建物データに基づいて、前記太陽電池モジュールの設置数および配置を求める処理を実行する制御装置と、
を備えた太陽光発電装置設置支援システムであって、
前記制御装置は、
前記建物データベースから、前記太陽光発電装置の設置対象となる前記建物の前記建物データを読み込む処理と、
読み込んだ前記建物データにおける前記屋根の平面形状、屋根勾配、建物の方位に基づいて、前記屋根における前記太陽電池モジュールを設置する設置面を特定する処理と、
前記特定した前記設置面に対し、前記太陽電池モジュールの設置数および配置を求める処理と、
前記太陽電池モジュールの設置数および配置を出力する処理と、
を実行することを特徴とする太陽光発電装置設置支援システム。
【請求項２】
請求項１に記載の太陽光発電装置設置支援システムにおいて、
前記建物データベースに格納された建物データは、建築済みの建物のデータであることを特徴とする太陽光発電装置設置支援システム。
【請求項３】
請求項１または請求項２に記載の太陽光発電装置設置支援システムにおいて、
前記太陽電池モジュールは、大きさおよび発電容量が異なる複数種類のものが設定されており、
前記制御装置における前記太陽電池モジュールの設置数および配置を求める処理では、前記複数種類の太陽電池モジュールの中から特定の前記太陽電池モジュールを選択する操作に応じ、選択された前記太陽電池モジュールの前記設置数および配置を求めることを特徴とする太陽光発電装置設置支援システム。
【請求項４】
請求項１〜請求項３のいずれか１項に記載の太陽光発電装置設置支援システムにおいて、
前記太陽光発電装置データベースには、前記太陽電池モジュールの設置に伴い必要な、パワーコンディショナを含む周辺機器に関するデータも格納され、
前記制御装置は、前記太陽電池モジュールの設置数および配置を求める処理に続いて、前記太陽電池モジュールの設置数に応じて必要となる周辺機器を求める処理を実行することを特徴とする太陽光発電装置設置支援システム。
【請求項５】
請求項１〜請求項４のいずれか１項に記載の太陽光発電装置設置支援システムにおいて、
前記太陽光発電装置データベースには、前記太陽電池モジュールの価格データが格納され、
前記制御装置は、前記太陽電池モジュールの設置数および価格データに基づいて、前記太陽光発電装置の設置費用の見積額を算出し出力する処理を実行することを特徴とする太陽光発電装置設置支援システム。
【請求項６】
請求項５に記載の太陽光発電装置設置支援システムにおいて、
前記太陽光発電装置データベースには、前記太陽電池モジュールの価格に加え、パワーコンディショナを含み前記太陽電池モジュールの設置に伴い必要な周辺機器に関する価格データが格納され、
前記制御装置は、前記設置費用の見積額の算出時に、必要な前記周辺機器の価格も含んで算出することを特徴とする太陽光発電装置設置支援システム。
【請求項７】
請求項５または請求項６に記載の太陽光発電装置設置支援システムにおいて、
前記制御装置は、前記設置費用の見積額の算出時に、
前記太陽電池モジュールの複数の機種の算出要求があった場合、各機種に応じた見積額を算出するとともに、その複数の算出結果を出力することを特徴とする太陽光発電装置設置支援システム。
【請求項８】
請求項１〜請求項７のいずれか１項に記載の太陽光発電装置設置支援システムにおいて、
前記太陽光発電装置データベースには、予め設定された所定単位の設置面に応じて、設置可能な前記太陽電池モジュールの設置数に関するパターンデータが予め格納され、
前記制御装置は、前記設置面に対する前記太陽電池モジュールの設置数および配置を求める処理では、前記設置面の大きさと所定単位との関係および前記パターンデータに基づいて前記太陽電池モジュールの設置数および配置を求めることを特徴とする太陽光発電装置設置支援システム。
【請求項９】
請求項１〜請求項８のいずれか１項に記載の太陽光発電装置設置支援システムにおいて、前記出力は、画面表示であることを特徴とする太陽光発電装置設置支援システム。
【請求項１０】
請求項９に記載の太陽光発電装置設置支援システムにおいて、
前記制御装置は、前記太陽電池モジュールの複数の機種の見積額の算出結果を出力する場合、機種および見積額を、一覧可能に並列表示することを特徴とする太陽光発電装置設置支援システム。
【請求項１１】
予め、複数の建物に関し、各建物の屋根の平面形状、屋根勾配、前記建物の方位、住所を含む建物データを格納するステップと、
予め、設置する太陽光発電装置の太陽電池モジュールに関するデータを格納するステップと、
前記格納された前記建物データの中から、前記太陽光発電装置の設置対象となる前記建物の前記建物データを読み込むステップと、
前記読み込んだ前記建物データにおける前記屋根の平面形状、屋根勾配、建物の方位に基づいて、前記屋根における前記太陽電池モジュールを設置する設置面を特定するステップと、
前記特定した前記設置面に対し、前記太陽電池モジュールの設置数および配置を求めるステップと、
前記太陽電池モジュールの設置数および配置を出力するステップと、
を実行することを特徴とする太陽光発電装置設置支援方法。
【請求項１２】
請求項１１に記載の太陽光発電装置設置支援方法をコンピュータにより実行可能とした太陽光発電装置設置支援プログラム。
【発明の詳細な説明】
【技術分野】
【０００１】
本発明は、太陽光発電装置設置支援システム、太陽光発電装置設置支援方法、および太陽光発電装置設置支援プログラムに関するものである。
【背景技術】
【０００２】
従来、太陽光発電モジュール（以下、本明細書では、この太陽光発電モジュールを単にモジュールと表記する）を設置する際に、そのレイアウトを自動的に演算する太陽光発電装置設置支援システムが知られている（例えば、特許文献１〜５参照）。
【先行技術文献】
【特許文献】
【０００３】
【特許文献１】特開２００３−２４２１８７号公報
【特許文献２】特開２００６−１８５３６７号公報
【特許文献３】特開２０１３−２２２８９１号公報
【特許文献４】特開２００４−９４６６０号公報
【特許文献５】特開２００８−１６６５９８号公報
【発明の概要】
【発明が解決しようとする課題】
【０００４】
このような太陽光発電装置設置支援システムでは、モジュールを、屋根の設置面に効率良く配置するには、屋根の設置面の大きさや形状などを正確に把握することが重要である。しかしながら、モジュールを設置する建物の現地に行き、屋根の大きさ、形状、勾配などを正確に測定するのは、非常に多くの手間を要する。また、設計図面から読み取ることも提案されているが、リフォームなど、建築してから時間が経過している場合、設計図面がなかったり、既に増改築が行われ、実際の屋根形状が設計図面と異なっていたりする場合もある。
【０００５】
そこで、上記の特許文献２、３に記載の発明では、地図データ、衛星写真データなどを用いて、屋根の平面形状を特定し、住宅のメーカ、モデルから屋根傾斜を推定し、屋根形状を特定することが提案されている。
しかしながら、近年、同一のメーカ、モデルであっても、顧客の要望に応じ、多様なプランが選択可能となっており、それにより屋根の勾配も多様化し、屋根の大きさ、形状、勾配を正確に特定することが難しい。このため、モジュールの配置を高精度で設計することが難しい。
【０００６】
そこで、本開示では、現地における測定を不要としながらも、より高精度で屋根の形状などの情報を取得し、高精度で太陽電池モジュールの配置を設定可能な太陽光発電装置設置支援システム、太陽光発電装置設置支援方法、および太陽光発電装置設置支援プログラムを提供することを目的としている。
【課題を解決するための手段】
【０００７】
前記目的を達成するために、本開示の太陽光発電装置設置支援システムは、
予め、複数の建物に関し、各建物の屋根の平面形状、屋根勾配、前記建物の方位、住所を含む建物データが格納された建物データベースと、
予め、設置する太陽光発電装置の太陽電池モジュールに関するデータが格納された太陽光発電装置データベースと、
前記建物データベースに格納された前記建物データを読み込み前記建物データに基づいて、前記太陽電池モジュールの設置数および配置を求める処理を実行する制御装置と、
を備えた太陽光発電装置設置支援システムであって、
前記制御装置は、
前記建物データベースから、前記太陽光発電装置の設置対象となる前記建物の前記建物データを読み込む処理と、
読み込んだ前記建物データにおける前記屋根の平面形状、屋根勾配、建物の方位に基づいて、前記屋根における前記太陽電池モジュールを設置する設置面を特定する処理と、
前記特定した前記設置面に対し、前記太陽電池モジュールの設置数および配置を求める処理と、
前記太陽電池モジュールの設置数および配置を出力する処理と、
を実行することを特徴とする太陽光発電装置設置支援システムとした。
【０００８】
なお、前記建物データベースに格納された建物データは、建築済みの建物のデータであることが好ましい。
また、前記太陽電池モジュールは、大きさおよび発電容量が異なる複数種類のものが設定されており、
前記制御装置における前記太陽電池モジュールの設置数および配置を求める処理では、前記複数種類の太陽電池モジュールの中から特定の前記太陽電池モジュールを選択する操作に応じ、選択された前記太陽電池モジュールの前記設置数および配置を求めるようにしてもよい。
さらに、前記太陽光発電装置データベースには、前記太陽電池モジュールの設置に伴い必要な、パワーコンディショナを含む周辺機器に関するデータも格納され、
前記制御装置は、前記太陽電池モジュールの設置数および配置を求める処理に続いて、前記太陽電池モジュールの設置数に応じて必要となる周辺機器を求める処理を実行するようにしてもよい。
そして、前記太陽光発電装置データベースには、前記太陽電池モジュールの価格データが格納され、
前記制御装置は、前記太陽電池モジュールの設置数および価格データに基づいて、前記太陽光発電装置の設置費用の見積額を算出し出力する処理を実行するようにしてもよい。
また、前記太陽光発電装置データベースには、前記太陽電池モジュールの価格に加え、パワーコンディショナを含み前記太陽電池モジュールの設置に伴い必要な周辺機器に関する価格データが格納され、
前記制御装置は、前記設置費用の見積額の算出時に、必要な前記周辺機器の価格も含んで算出するようにしてもよい。
そして、前記制御装置は、前記設置費用の見積額の算出時に、前記太陽電池モジュールの複数の機種の算出要求があった場合、各機種に応じた見積額を算出するとともに、その複数の算出結果を出力するようにしてもよい。
さらに、前記太陽光発電装置データベースには、予め設定された所定単位の設置面に応じて、設置可能な前記太陽電池モジュールの設置数に関するパターンデータが予め格納され、
前記制御装置は、前記設置面に対する前記太陽電池モジュールの設置数および配置を求める処理では、前記設置面の大きさと所定単位との関係および前記パターンデータに基づいて前記太陽電池モジュールの設置数および配置を求めるようにしてもよい。
また、前記太陽電池モジュールの設置数および配置の出力あるいは設置費用の見積額の出力は、画面表示としてもよい。
さらに、前記制御装置は、前記太陽電池モジュールの複数の機種の見積額の算出結果を出力する場合、機種および見積額を、一覧可能に並列表示するようにしてもよい。
【０００９】
前記目的を達成するために、本開示の太陽光発電装置設置支援方法は、
予め、複数の建物に関し、各建物の屋根の平面形状、屋根勾配、前記建物の方位、住所を含む建物データを格納するステップと、
予め、設置する太陽光発電装置の太陽電池モジュールに関するデータを格納するステップと、
前記格納された前記建物データの中から、前記太陽光発電装置の設置対象となる前記建物の前記建物データを読み込むステップと、
前記読み込んだ前記建物データにおける前記屋根の平面形状、屋根勾配、建物の方位に基づいて、前記屋根における前記太陽電池モジュールを設置する設置面を特定するステップと、
前記特定した前記設置面に対し、前記太陽電池モジュールの設置数および配置を求めるステップと、
前記太陽電池モジュールの設置数および配置を出力するステップと、
を実行することを特徴とする。
さらに、上記太陽光発電装置設置支援方法をコンピュータにより実行可能とした太陽光発電装置設置支援プログラムとした。
【発明の効果】
【００１０】
本開示の太陽光発電装置設置支援システムは、建物データベースから、建物の屋根に関する情報および住所に関する情報、すなわち、屋根の大きさ、形状、勾配、方位などを取得し、これに基づいて、建物の屋根の太陽電池モジュールの設置面を高精度で特定することができる。したがって、現地における測定を不要としながらも、高精度で屋根の形状などの情報を取得し、太陽電池モジュールの設置数および配置を高精度で求めることができる。
【００１１】
なお、建物データベースに建築済みの建物データが格納されたものでは、建築済みの建物を、後に、リフォームなどにより太陽光発電装置を設置する際に、有効であり、その際に、作業性に優れ、かつ、太陽電池モジュールの設置数および配置を、高精度で求めることができる。
また、制御装置が、複数種類の太陽電池モジュールの中から選択された特定の太陽電池モジュールの設置数および配置を求めるようにしたものでは、
単一の太陽電池モジュールを設置する場合と比較して、種々の建物に対する太陽電池モジュールの設置自由度が向上する。
さらに、制御装置が太陽電池モジュールの設置数に応じて必要となる周辺機器を求める処理を実行するものでは、太陽電池モジュールのみならず、太陽電池モジュールの設置に必要な周辺機器まで正確に求めることができる。
そして、制御装置が、太陽光発電装置の設置費用の見積額を算出し出力する処理を実行するものでは、高精度の太陽電池モジュールの設置数に基づいて、設置費用も高精度で求めることができる。
また、制御装置が、必要な前記周辺機器の価格も含んで算出するものでは、実際に太陽光発電装置の設置にかかる費用を高精度で算出することができる。
そして、太陽電池モジュールの複数の機種の算出要求があった場合に、各機種に応じた見積額を算出するとともに、その複数の算出結果を出力するものでは、複数の機種の見積額を同時に知ることができる。
さらに、制御装置が、パターンデータに基づいて太陽電池モジュールの設置数および配置を求めるものでは、種々の設置面に応じて高精度で太陽電池モジュールの設置数および配置を求めることができる。
また、前記太陽電池モジュールの設置数および配置あるいは設置費用の見積額を画面表示するものでは、利用者は、画面を見て、太陽電池モジュールの設置数および配置や、設置費用の見積額を知ることができる。
さらに、太陽電池モジュールの複数の機種の見積額を、一覧可能に並列表示するものでは、複数の機種の見積額の比較検討を容易に行うことができる。
【００１２】
また、本開示の太陽光発電装置設置支援方法およびこれをコンピュータにより実行可能なプログラムにあっても、現地における測定を不要としながらも、高精度で屋根の形状などの情報を取得し、太陽電池モジュールの設置数および配置を高精度で求めることができる。
【図面の簡単な説明】
【００１３】
【図１】本発明の実施の形態１の太陽光発電装置設置支援システムの全体構成を模式的に示す全体システム図である。
【図２】太陽光発電装置を設置する邸の屋根における太陽電池モジュールを設置可能な屋上ブロックパターンを示す模式図である。
【図３Ａ】実施の形態１の太陽光発電装置設置支援システムにより、陸屋根の邸に太陽電池モジュールの配置を割り付けた割付パターンの一例を示す模式図である。
【図３Ｂ】他の陸屋根の形状の邸に太陽電池モジュールの配置を割り付けた割付パターンの例を示す模式図である。
【図３Ｃ】他の陸屋根の形状の邸に太陽電池モジュールの配置を割り付けた割付パターンの例を示す模式図である。
【図３Ｄ】他の陸屋根の形状の邸に太陽電池モジュールの配置を割り付けた割付パターンの例を示す模式図である。
【図４Ａ】実施の形態１の太陽光発電装置設置支援システムにより、切妻屋根の邸に太陽電池モジュールの配置を割り付けた割付パターンの一例を示す模式図である。
【図４Ｂ】他の切妻屋根の形状の邸に太陽電池モジュールの配置を割り付けた割付パターンの一例を示す模式図である。
【図５】実施の形態１の太陽光発電装置設置支援システムにより、寄棟屋根の邸に太陽電池モジュールの配置を割り付けた割付パターンの一例を示す模式図である。
【図６Ａ】寄棟屋根に太陽電池モジュールを割り付ける際に用いるパターンデータの一例を示す模式図である。
【図６Ｂ】前記パターンデータの他の例を示す模式図である。
【図７】本発明の実施の形態１の太陽光発電装置設置支援システムにおいて太陽電池モジュールの設置数、配置を求め、設置費用を積算する処理の流れを示すフローチャートである。
【図８】本発明の実施の形態１の太陽光発電装置設置支援システムにおいて複数のメーカの入力があった場合に、設置プラン表示画面にて設置プランを表示した例を示す図である。
【図９Ａ】本発明の実施の形態１の太陽光発電装置設置支援システムにおける割付設定画面の一例を示す図である。
【図９Ｂ】本発明の実施の形態１の太陽光発電装置設置支援システムにおける割付設定画面の他の例を示す図である。
【図１０】本発明の実施の形態１の太陽光発電装置設置支援システムにおいて太割付図面データを保存するフォルダの表示例を示す図である。
【図１１】本発明の実施の形態１の太陽光発電装置設置支援システムにおいて表示画面に表示された割付図面の一例を示す図である。
【発明を実施するための形態】
【００１４】
以下、本発明の実施の形態について図面を参照して説明する。
（実施の形態１）
（太陽光発電装置設置支援システムの構成）
実施の形態１の太陽光発電装置設置支援システムＡ（図２参照）の構成について説明する。
この太陽光発電装置設置支援システムＡは、図１に示す複数の建物としての住宅Ｈ（Ｈ１・・・ＨＸ）に太陽光発電装置１０を設置するのにあたり、住宅Ｈの屋根ＲＦに応じて後述の太陽電池モジュール（以下、モジュールという）１１の最適の配置を設定するとともに、それに要する費用を積算するシステムである。
ここで、図示の複数の住宅Ｈ１〜ＨＸのうち、特定のものを指さない場合、および、全ての住宅を指す場合、以下、単に住宅Ｈと表記する。
【００１５】
住宅Ｈは、それぞれ既に建築済みのものであり、各住宅Ｈは、複数の建物ユニットＵを水平方向および上下方向に結合したユニット建物である。また、各住宅Ｈは、図では、建物ユニットＵを上下に２段重ねた２階建てのものを示しているが、その階数は、２階建に限らず、平屋や３階以上のものも含む。同様に、図では、住宅Ｈの屋根ＲＦは、切妻屋根のものを示しているが、その屋根形状も、切妻に限らずフラットな陸屋根や寄棟屋根などの他の形状の屋根ＲＦのものも含む。
また、太陽光発電装置１０は、複数のモジュール１１と、このモジュール１１によって発電された直流電力を交流電力に変換するパワーコンディショナ１２と、を備える。
【００１６】
そして、本実施の形態１の太陽光発電装置設置支援システムＡは、既設の住宅Ｈに対し、その建築後に、リフォームなどで新たに太陽光発電装置１０を設置する際に、そのモジュール１１の数および配置を決定し、それを設置するのに要する工事費用を積算するのに用いることができる。なお、この太陽光発電装置設置支援システムＡは、新規に建築する住宅Ｈの工事費用を前もって積算する場合にも用いることができる。
【００１７】
太陽光発電装置設置支援システムＡは、管理サーバ２０と、この管理サーバ２０とインターネットなどの外部の通信ネットワークＮを介して接続可能な制御装置としてのコンピュータ３０と、を含んで構成されている。なお、コンピュータ３０は、本開示の太陽光発電装置設置支援方法を実行可能とした太陽光発電装置設置支援プログラムが搭載されている。また、コンピュータ３０は、表示画面３１を備える。
【００１８】
管理サーバ２０は、太陽光発電装置１０に関する情報が入力された太陽光発電装置データベース２１と、顧客の住宅Ｈに関する情報が入力された住宅情報データベース２２と、を備える。
【００１９】
太陽光発電装置データベース２１には、太陽光発電装置１０のメーカ別のモジュール１１の大きさ、性能、設置に要する付属品に関する情報などが格納されている。また、パワーコンディショナ１２に関しても、メーカ別、機種別の容量、設置形式（室内設置、室外設置など）、設置に要する付属品に関する情報などの情報が格納されている。
【００２０】
さらに、太陽光発電装置データベース２１は、太陽光発電装置１０のメーカ、およびそのメーカのモジュール１１と、所定単位の建物ユニットＵに対する設置数との関係が予め設定され格納されている。すなわち、建物ユニットＵは、桁方向寸法、妻方向寸法が異なる仕様のものが複数設定されている。また、屋根ＲＦの形状、屋根勾配により、１つの建物ユニットＵに設置可能なモジュール１１の枚数も異なる場合がある。
【００２１】
また、モジュール１１も、メーカの違いや、同一メーカであっても発電容量の違いなどにより大きさが異なる。
【００２２】
そこで、サイズが異なるモジュール１１毎に、上記の建物ユニットＵの仕様の違いにより、所定単位の建物ユニットＵに、何枚のモジュール１１をどのように配置可能か、予め設定され、格納されている。なお、所定単位とは、例えば、１つの建物ユニットＵを１単位とするものに限られず、１．５の建物ユニットＵ、あるいは２つの建物ユニットＵを１単位とすることができる。
【００２３】
同様に、屋根ＲＦの勾配によっても、適正に設置可能なモジュール１１の数、配置が異なることから、上記の関係は、さらに、屋根形状および勾配に関連付けられて、格納されている。
【００２４】
住宅情報データベース２２には、各住宅Ｈについて、それが建てられた住所や方位、地域に関連する情報、建物ユニットＵの仕様に関する情報、屋根ＲＦに関する情報が、各住宅Ｈに関連付けられて入力されている。
【００２５】
なお、方位に関する情報として、住宅Ｈの屋根ＲＦと方位との関係、すなわち屋根ＲＦの向きを特定可能な情報が入力されている。また、地域に関する情報として、例えば、地域に応じた降雪や風速や日照に関する情報が含まれる。
【００２６】
ここで、建物ユニットＵに関する情報としては、住宅Ｈを構成する建物ユニットＵの桁方向、妻方向の寸法やその配置が含まれる。
また、建物ユニットＵの配置としては、平面図上における桁方向、妻方向の配置や、側面、正面、背面など上下方向での配置が含まれる。
そして、屋根ＲＦに関する情報としては、平面図における桁方向、妻方向寸法や、屋根形状（陸屋根、切妻屋根、寄棟屋根など）、屋根勾配、屋根材などの情報が含まれる。
【００２７】
以上のように、ユニット建物としての住宅Ｈを建築する際には、その住宅Ｈを建てた住所を含む情報や、住宅Ｈおよびそれを構成する建物ユニットＵおよび屋根ＲＦに関する情報が、建築会社の図示を省略したコンピュータから管理サーバ２０に送られ、格納される。したがって、建築後に、複数の住宅Ｈの中から、特定の住宅Ｈを選択し、その住宅Ｈを構成する建物ユニットＵの寸法、配置に関する情報、屋根ＲＦの形状（陸屋根、切妻屋根、寄棟屋根など）、方位、屋根勾配、屋根材の材質などを取り出すことが可能となっている。
【００２８】
（太陽光発電装置設置支援システムによる積算処理）
次に、既設の住宅Ｈに対し、太陽光発電装置１０を設置する際に、太陽光発電装置設置支援システムＡにより設置するモジュール１１の数および配置を求め、さらに、それに要する工事費用を積算する処理について説明する。
【００２９】
すなわち、太陽光発電装置１０を設置する場合、設置する太陽光発電装置１０に関する情報、および、設置対象となる住宅Ｈに関する情報に基づいて、管理サーバ２０およびコンピュータ３０から成る制御部におけるデータ処理により、モジュール１１の数および配置を求め、さらに、これに基づいて工事費用の積算を行う。なお、以下の説明において、太陽光発電装置１０の設置対象となる特定の住宅Ｈを、邸Ｔと称する。また、上記のデータ処理は、コンピュータ３０において実行してもよい。あるいは、通信ネットワークＮを介したコンピュータ３０と管理サーバ２０とによるクラウドコンピューティングなどにより実行し、管理サーバ２０側で演算処理を行い、演算結果をコンピュータ３０に出力して表示させるようにしてもよい。そこで、以下では、管理サーバ２０とコンピュータ３０とを合わせて制御システムと称する。
【００３０】
図７のフローチャートは、上記のモジュール１１の設置数および配置を求める処理、これに基づいて工事費用の積算を行う処理の流れを示す。この処理は、操作者がコンピュータ３０を操作しながら実行されるもので、操作に基づいて受け取る信号の入力と、それに基づく処理とがあるが、説明の簡略化のため、操作に応じた信号入力に代えて操作者が行う処理を表示する。なお、フローチャートにおいて、操作者が行う処理は点線により囲んで表示し、コンピュータ３０が行う処理は実線により囲んで表示することにより両者を区別する。
【００３１】
最初のステップＳ１０１ａでは、操作者が、設置対象である邸Ｔを特定する処理および邸Ｔの階数、居住地区の入力（選択）を行う。なお、邸Ｔの特定は、例えば、邸Ｔに与えられたコード番号の入力者、住所、氏名の入力により行うことができる。また、階数および居住地区は、邸Ｔ（コード番号）に基づいて格納されている住宅情報から読み込むようにしてもよい。
【００３２】
次のステップＳ１０１ｂでは、ステップＳ１０１ａでの入力に基づく制御システムの処理により、階数、居住地区を読み込んで、居住地区に応じた地区情報を求め表示する。この地区情報として、居住地区の基準風速が含まれる。
【００３３】
次のステップＳ１０２ａでは、操作者の処理により、邸Ｔにおける垂直積雪量、積雪屋根の選択を行う。
そして、ステップＳ１０２ａに入力に応じステップＳ１０２ｂでは、制御システムは、邸Ｔが積算対象内の仕様であるか否かの判定を行い、邸Ｔが積算対象でない場合は、処理を終了し、積算対象であれば、次のステップＳ１０３に進む。ここで、積算対象仕様内でない場合というのは、積雪条件により太陽光発電装置１０（モジュール１１）の設置が困難である場合や、例えば、邸Ｔが古すぎて管理サーバ２０の住宅情報データベース２２に、必要な住宅情報の入力が無い場合などが含まれる。
【００３４】
続くステップＳ１０３では、制御システムは、上記ステップＳ１０２ｂまでの処理により入力された情報に基づいて特定した邸Ｔの情報を住宅情報データベース２２から読み込む。この邸Ｔの情報としては、邸Ｔの平面図など邸Ｔおよび屋根ＲＦの平面形状に関する情報、側面図など屋根勾配に関する情報、方位に関する情報が含まれる。
そして、この読み込んだ情報に応じ、管理サーバ２０の住宅情報データベース２２から対象となる邸Ｔの屋上ブロックパターンおよび方位を読み込み、表示画面３１に表示する。
ここで、屋上ブロックパターンとは、邸Ｔにおける屋根ＲＦを備える建物ユニットＵのブロック状の並びのことをいう。
【００３５】
図２は、邸Ｔの平面図および屋上ブロックパターンおよび方位の表示の一例を示している。図において１単位の長方形が建物ユニットＵの配置を示し、その中で、バツ印を付けたものが、屋根ＲＦにおいてモジュール１１の設置が可能な部分の配置であるブロックパターンを示している。
なお、邸Ｔの建物ユニットＵにおいて、バツ印のブロックパターンに含まれない建物ユニットＵおよび建物ユニットＵの一部は、バルコニーなど、屋根ＲＦが設置されている部分を示す。また、建物ユニットＵに、天窓などのモジュール１１が設置できない部分が存在する場合も、屋上ブロックパターンから外す。
【００３６】
ステップＳ１０３に続くステップＳ１０４ａでは、ステップＳ１０３において表示画面３１上に表示した屋上ブロックパターンにおいて、諸条件の変更を可能としている。さらに、本実施の形態では、屋根形状、屋根材、屋根勾配、庇形状、方角、雪止めの必要の有無などを、操作者の手作業により入力可能としている。
また、屋根形状としては、陸屋根（フラット）、切妻屋根、寄棟屋根などの違いを入力する。また、これらの情報は、予め、住宅情報データベース２２に入力しておくこともできる。
【００３７】
そして、ステップＳ１０４ｂでは、上記の変更や詳細入力に応じて最終的に決定された屋上ブロックパターン、すなわち、邸Ｔにおいてモジュール１１を設置可能な屋根ＲＦの領域の表示を行う。
【００３８】
次のステップＳ１０５ａでは、操作者が、邸Ｔの屋上ブロックパターンに設置するモジュール１１を特定する操作を行うもので、具体的には、モジュール１１のメーカの入力を行う。ここで、入力するメーカは、複数入力可能とする。なお、メーカに加え、その機種も入力可能としてもよい。
このステップＳ１０５ａの入力に応じてステップＳ１０５ｂでは、屋上ブロックパターンにおいて特定されたモジュール１１の割付パターンおよび設置可能モジュール数を決定し、その設置プランを作成し表示する。
【００３９】
この設置プランは、ステップＳ１０５ａにおいて複数のメーカの入力があった場合、それらのメーカの機種毎に設置プランを作成し、各機種についての設置プランを並列表記する。例えば、機種としては、１のメーカに少なくとも１機種有し、複数の機種を有する場合もある。したがって、入力されたメーカが１つであっても複数の機種を有している場合には、そのメーカの複数機種に応じた設置プランを作成し、並列表記する。また、複数のメーカの入力があった場合は、各メーカが有する機種の数の設置プランを作成し、各設定プランを並列表記する。
【００４０】
なお、設置プランとして、設置するモジュール１１の最大設置数、その設置による出力合計値、およびそのモジュール設置金額を求め、これを表示する。なお、この表示の詳細については後述する。
また、この場合、モジュール１１の設置の態様は、最大設置数の表示のみならず、屋上ブロックパターン上にモジュール１１を配置した状態（これを割付パターンと称する）を、視覚的に表示可能とする（図３Ａ〜図３Ｄ、図９Ａ、図９Ｂなど参照）。
なお、このように、複数の設置プランを設定する場合、邸Ｔ（ユニット建物）のタイプにより、その構造上、屋根ＲＦに設置可能な面積や重量が異なることから、モジュール１１の設置可能な最大数も異なる。なお、この邸Ｔ（ユニット建物）のタイプに応じた建物ユニットＵにおけるモジュール１１の設置可能数も予め設定され、太陽光発電装置データベース２１に格納されている。
【００４１】
さらに、このモジュール１１の最大設置数は、屋根ＲＦの勾配の有無により異なる。すなわち、屋根ＲＦが平らな陸屋根などの場合は、屋上ブロックパターンの全面にモジュール１１を設置可能であるが、切妻屋根や寄棟屋根の場合、屋根ＲＦにおいて北向きの傾斜面は、設置面から外した上で、最大設置数を求める（図４Ａ、図４Ｂ、図５参照）。
この屋根形状に応じたモジュール１１の最大設置数および配置（割付パターン）の詳細については、後述する。
【００４２】
以上のように、このステップＳ１０５ｂの処理により、表示画面３１には、ステップＳ１０３において表示された屋上ブロックパターンにおいて、各メーカの各機種に対応したモジュール１１の設置可能な仕様である設置プランを１または複数表示する。
すなわちメーカに応じ、モジュール１１の大きさや重量などが異なると、共通の屋上モジュールパターンにおいて設置可能なモジュール数も異なる。そこで、入力されたメーカに対応して、それぞれ、モジュール１１の最大設置数および配置（割付パターン）を求める。さらに、この割付パターンとして表示されたモジュール１１の数や配置は、操作者の操作により、任意に変更可能としてもよい。
【００４３】
ここで、上述のステップＳ１０５ａにおいて複数のメーカおよび機種の入力があった場合の設定プランの表示と、割付パターンの表示および変更について、具体例を例示して説明する。
【００４４】
図８は、複数のメーカの入力があった場合の設置プランを表示する設置プラン表示画面１００を示している。
この設置プラン表示画面１００における表示例では、３つのメーカの選択に基づいて、これらのメーカのもので、選択された屋根に設置可能な６種類の機種の設置プランを作成し、それを表示している。
【００４５】
設置プラン表示画面１００は、選択操作部１０１、メーカ表示領域１０２、仕様表示領域１０３、モジュール容量表示領域１０４、最大設置数表示領域１０５、合計出力表示領域１０６、機種名表示領域１０７、設置見積金額表示領域１０８、ｋＷ当たり価格表示領域１０９、割付数確認表示領域１１０、次画面選択操作部１１１が設定されている。
【００４６】
選択操作部１０１は、この設置プラン表示画面１００に表示された複数の設置プランの中から、設置費用の積算を行う対象となる設置プランの選択を行う部位である。この選択操作部１０１において選択対象となる設置プランにチェックを入れることにより選択することができる。また、選択操作部１０１にチェックを入れた後に、次画面選択操作部１１１のクリック操作を行うことで、選択された設置プランの設置費用の積算の実行を開始する。
【００４７】
メーカ表示領域１０２は、ステップＳ１０５ａにおいて選択されたメーカを表示する領域である。すなわち、選択されたメーカに複数の機種がある場合、選択されたメーカの機種ごとの、最大設置数、出力合計値、設置金額などの表示を並列表記する。図８では、メーカとして、ＡＡＡ、ＢＢＢ、ＣＣＣの３つのメーカを選択した場合を例示している。
【００４８】
この３つのメーカＡＡＡ，ＢＢＢ，ＣＣＣの選択に応じて、この３つのメーカＡＡＡ，ＢＢＢ，ＣＣＣにおいて選択可能な６種類の機種ごとの設置プランを並列表示している。
すなわち、選択された３つのメーカにおいて、それぞれ２通りの選択可能な機種ａ００１，ａ００２，ｂ００１，ｂ００２，ｃ００１，ｃ００２を有している。
【００４９】
仕様表示領域１０３は、機種ごとの仕様を表示する領域である。
モジュール容量表示領域１０４は、モジュール単位の容量を表示する領域である。
最大設置数表示領域１０５は、設置対象となる屋根における最大設置数を表示する領域である。
【００５０】
合計出力表示領域１０６は、その機種のモジュールを最大設置数だけ設置した場合の容量を表示する領域である。
機種名表示領域１０７は、前述した各機種名（ａ００１，ａ００２、ｂ００１，ｂ００２，ｃ００１，ｃ００２）を表示する領域である。
【００５１】
設置見積金額表示領域１０８、各モジュールを、最大設置数だけ設置した場合の見積金額を表示する領域である。
ｋＷ当たり価格表示領域１０９は、単位容量当たりの価格を表示する領域である。
【００５２】
割付数確認表示領域１１０は、モジュールの割付数の確認と変更を行うための割付設定画面を開く操作を行う領域であり、タップ操作用の操作部を有する。なの、この操作部のタップ操作を行うと、画面表示を図９Ａ、図９Ｂに示す割付設定画面２００，３００に切り替える。
【００５３】
すなわち、図８に表示された設定プランは、モジュール１１を設置可能な最大数設置した場合の各値を示している。この設置するモジュール１１の数は、最大数の範囲内であれば、変更可能であり、その容量に応じて、パワーコンディショナについても、変更することができる。
【００５４】
図９Ａ，図９Ｂには、それぞれモジュール１１の設置可能な最大数を設置するための設置範囲と、系統別のモジュール１１の設置数を表示するとともに、その設置数を変更することが可能な割付設定画面２００，３００を示す。
なお、割付設定画面２００，３００は、それぞれ割り付け設定を行う画面の表示例を示す。
【００５５】
図９Ａに示す割付設定画面２００は、最大割付表示領域２１０、割付パターン設定領域２２０、割付領域表示部２３０を備える。
最大割付表示領域２１０は、モジュールの設置対象の屋根における最大設置数を表示するもので、メーカ表示部２１１、モジュール性能表示部２１２、最大設置枚数表示部２１３、系統別設置枚表示部２１４、出力表示部２１５を備える。
【００５６】
メーカ表示部２１１は、割付対象となるモジュール１１のメーカ名を表示する。
モジュール性能表示部２１２は、モジュール１１の容量などを表示する。
最大設置枚数表示部２１３は、設置対象となる屋根におけるモジュールの設置可能な最大枚数を表示する。
【００５７】
系統別設置枚表示部２１４は、系統別の最大設置枚数を表示する。図示の例では、第１系統設置枚数表示部２１４ａと第２系統設置枚数表示部２１４ｂとを備え、割付領域表示部２３０において表示する第１系統２３１と第２系統２３２におけるモジュールの設置可能な最大数を表示する。なお、系統とは、後述するがパワーコンディショナ１２に接続する場合のモジュール１１のグループ分けであり、図示の例では、２系統に分けてモジュールを接続する。
出力表示部２１５は、設置可能な最大数のモジュール１１を設置した場合の容量を表示する。
【００５８】
割付パターン設定領域２２０は、モジュール１１の割付数を設置可能最大数の範囲内で任意に設定する領域であり、メーカ表示部２２１、モジュール性能表示部２２２、最大設置枚数表示部２２３、系統別設置枚設定部２２４、出力表示部２２５を備える。
【００５９】
メーカ表示部２２１は、割付対象となるモジュール１１のメーカ名を表示する。
モジュール性能表示部２１２は、モジュール１１の容量などを表示する。
最大設置枚数表示部２２３は、設置対象となる屋根におけるモジュール１１の設置可能な最大枚数を表示する。
【００６０】
系統別設置枚設定部２２４は、第１系統設置枚数設定部２２４ａと第２系統設置枚数設定部２２４ｂを備え、第１系統２３１と第２系統２３２におけるモジュールの設置枚数を任意に設定可能としている。そして、モジュール１１の設置数を変更する場合は、第１系統設置枚数設定部２２４ａ、第２系統設置枚数設定部２２４ｂに表示される数を変更するもので、初期設定では、設置可能な最大数が表示される。また、これらの数字を変更した場合には、出力表示部２２５に表示する数値をモジュール１１の設置数に応じて変更する。
【００６１】
割付領域表示部２３０は、モジュール１１の設置対象の屋根における系統別のモジュール１１の割付領域を表示する。図示の例では、前述のように第１系統２３１と第２系統２３２との２系統を有している。
【００６２】
図９Ｂに示す割付設定画面３００は、図９Ａに示す例と同様に、最大割付表示領域３１０、割付パターン設定領域３２０、割付領域表示部３３０を備えるもので、割付パターン設定領域３２０の構成が、図９Ａに示した割付設定領域２２０と若干異なる。
最大割付表示領域３１０は、モジュールの設置対象の屋根における最大設置数を表示するもので、メーカ表示部３１１、モジュール性能表示部３１２、最大設置枚数表示部３１３、系統別設置枚表示部３１４、出力表示部３１５を備える。なお、メーカ表示部３１１、モジュール性能表示部３１２、最大設置枚数表示部３１３、系統別設置枚表示部３１４、出力表示部３１５は、それぞれ、前述した図９Ａに示す最大割付表示領域２１０のメーカ表示部２１１、モジュール性能表示部２１２、最大設置枚数表示部２１３、系統別設置枚表示部２１４、出力表示部２１５と同様であるので、説明を省略する。
【００６３】
割付パターン設定領域３２０は、モジュール１１の割付数を設置可能最大数の範囲内で任意に設定する領域であり、第１系統別設定枚数設定部３２４ａと第２系統別設定枚数設定部３２４ｂとを備える。そして、モジュール１１の設置数を変更する場合は、第１系統別設定枚数設定部３２４ａ、第２系統別設定枚数設定部３２４ｂに表示される数を変更するもので、初期設定では、設置可能な最大数が表示される。
【００６４】
第１系統別設定枚数設定部３２４ａは、第１系統３３１におけるモジュールの割付枚数を設定する部分である。第２系統別設定枚数設定部３２４ｂは、第２系統３３２におけるモジュールの割付枚数を設定する部分である。そして、モジュール１１の設置数を変更する場合は、第１系統別設定枚数設定部３２４ａ、第２系統別設定枚数設定部３２４ｂに表示される数を変更するもので、初期設定では、設置可能な最大数が表示される。また、これらの数字を変更した場合には、出力表示部３１５に表示する値をモジュール１１の設置数に応じて変更する。
【００６５】
割付領域表示部３３０は、モジュールの設置対象の屋根における系統別のモジュール１１の割付領域を表示する。図示の例では、前述のように第１系統３３１と第２系統３３２との２系統の割付領域を有している。
【００６６】
次に、図７に戻りステップＳ１０６ａでは、操作者は、表示画面３１に表示された１または複数のモジュール１１の配置である設置プランの中から、設置費用の積算を行う対象として採用する任意の設置プランの選択操作を行う。すなわち、図８に示す設置プラン表示画面１００に表示された複数の設置プランのうちから選択するものの選択操作領域にチェックマークを入れる操作を行い、決定操作を行う。この決定操作は、次画面選択操作部１１１のクリック操作である。
【００６７】
続くステップＳ１０６ｂでは、選択した設置プランに応じた周辺機器を求め、この周辺機器を設定するための入力画面を、表示画面３１に表示する。
この周辺機器としては、設置するモジュール数（発電容量）に応じたパワーコンディショナ１２や、屋根ＲＦの形状や傾斜に応じた設置のために必要なフレーなどの部材、雪止めなどが含まれる。
【００６８】
次のステップＳ１０７ａでは、操作者は、表示画面３１に表示された周辺機器の中から、設置を検討する機器を設定する操作を行う。すなわち、１つの割付パターンであっても、複数のモジュール１１を、どのようにパワーコンディショナ１２に接続するか、複数の選択肢がある。そして、１つのパワーコンディショナ１２に接続するモジュール１１の数（グループ）の設定も複数の選択肢があり、また、それに応じて、必要な周辺機器も変わって来る。したがって、これら周辺機器の複数の選択肢の中から、積算する対象を絞り込む操作を行う。
さらに、ステップＳ１０７ａの操作による入力によりステップＳ１０７ｂでは、モジュール１１および選択した周辺機器の設置に必要な工事項目を表示画面３１に表示する処理を行う。
【００６９】
続くステップＳ１０８ａでは、操作者は、表示された工事項目の中から、工事項目およびその数量の選択操作を行う。
そして、次のステップＳ１０８ｂでは、制御システムは、選択された工事項目、数量を含む全費用の積算を行う。さらに、最終的に決定されたモジュール１１の割付パターンや、パワーコンディショナ１２を表示した割付図面の出力を行う。なお、この割付図面の出力先は、表示画面３１としてもよいし、これを記録するコンピュータ３０内の記憶部のフォルダや、コンピュータ３０の外部の記憶媒体など適宜決定することができる。
【００７０】
ここで、例えば、クラウドコンピューティングなどを用い管理サーバ２０において作成した割付図面を、通信ネットワークＮを介してコンピュータ３０にダウンロードして表示させる場合を説明する。この場合、コンピュータ３０では、割付図面の圧縮データをダウンロードし、これを解凍し、コンピュータ３０が内蔵する一般的なプログラムを用いて表示画面３１において表示させる。
【００７１】
図１０は、圧縮データを保存したフォルダをブラウザ上で表示した例を示す。この割付図面データを保存するフォルダの表示部４００をクリック操作し、保存した割付図面データのファイル名を表示させ（不図示）、このファイル名をクリック操作することにより、割付図面を表示画面３１に表示させる。
【００７２】
図１１は、表示画面３１に表示された割付図面５００の一例を示す。
この割付図面５００は、割付図表示部５０１、系統・枚数表示部５０１、仕様表示部５０３を備える。
割付図表示部５０１には、モジュール１１の割付状態が平面図として表示される。
【００７３】
系統・枚数表示部５０２は、系統の数、系統ごとのモジュール１１の枚数を表示する。図示の例は、系統として２系統であることを表示し、また、各系統に８枚のモジュール１１を割りつけていることを表示している。
仕様表示部５０３は、モジュール１１のメーカ名、機種名、容量（ワット数）、設置仕様などを詳細に表示する。
このようにして、割付図面およびその仕様を、コンピュータ３０の表示画面３１において確認することができる。
【００７４】
（モジュールの割付パターンの特定処理）
次に、ステップＳ１０３において求めた屋上ブロックパターンに対してステップＳ１０５ｂにおいてモジュール１１の配置である割付パターンを決定する処理について説明する。
【００７５】
まず、屋上ブロックパターンが平らな陸屋根である場合の一例を、図３Ａ〜図３Ｄに基づいて説明する。
この場合、ステップＳ１０５ａにおいて入力されたメーカのモジュール１１が、予め設定された単位の建物ユニットＵ（設置面）に対する設置枚数が予めパターンデータとして設定されている。
【００７６】
図３Ａは、その一例を示しており、この図に示す邸Ｔ３ａでは、最上階の建物ユニットＵを妻方向と桁方向とに３つずつ並べて結合した例を示している。
また、建物ユニットＵと、モジュール１１との関係は、妻方向（矢印ｙ方向）では、１．５の建物ユニットＵを１単位として、２つのモジュール１１を設置するよう設定されている。また、桁方向（矢印ｘ方向）では、３つの建物ユニットＵを１単位として、１０のモジュール１１を設置するようパターンデータが設定されている。
また、図では、こられのモジュール１１を、妻方向（矢印ｙ方向）で２つのグループＧａａ、Ｇａｂに分けた例を示している。
【００７７】
また、モジュール１１は、その発電容量に応じ、接続するパワーコンディショナ１２の数が設定され、それに応じて系統分けされる。例えば、モジュール１１は、各グループＧａａ、Ｇａｂ毎に、異なるパワーコンディショナ１２に接続するようにしてもよい。あるいは、図３Ａに示すモジュール１１の発電容量では、３以上のパワーコンディショナ１２が必要な場合は、３つのパワーコンディショナ１２に接続する系統分けを、グループ分けとは異なる基準で分けることも可能である。
【００７８】
図３Ｂに示す邸Ｔ３ｂが、上記と異なる屋上ブロックパターンの有した例を示し、図３Ａに示す建物ユニットＵのうち、図において右下の１つ分の建物ユニットＵの屋上ブロックを減らした例である。この場合、モジュール１１のうち点線により表示するものが、屋上ブロックパターンからはみ出るため、可能な設置数が減ることになる。また、図３Ｂでは、モジュール１１のグループ分けは、図３Ａに示すものと同様に、矢印ｙ方向である妻方向でグループＧｂａ、Ｇｂｂに２分した例を示す。
【００７９】
図３Ｃに示す邸Ｔ３ｃが、さらに上記と異なる屋上ブロックパターンの有した例を示し、図３Ｂに示す建物ユニットＵのうち、図において左下の１つ分の建物ユニットＵの屋上ブロックを減らした例である。この場合、モジュール１１のうち、図３Ｂにおいて点線により示す部分と対称に配置されたものも設置できなくなり、設置数がさらに減る。また、図３Ｃでは、モジュール１１のグループ分けは、矢印ｘ方向である桁方向でグループＧｃａ、Ｇｃｂに２分した例を示す。
【００８０】
図３Ｄに示す邸Ｔ３ｄが、さらに上記と異なる屋上ブロックパターンの有した例を示し、図３Ａに示す建物ユニットＵのうち、図において右上の１つ分の建物ユニットＵの屋上ブロックと、図において下側の建物ユニットＵのうち、中央と右下の建物ユニットＵの屋上ブロックとを減らした例である。この場合、設置可能なモジュール１１の数がさらに減る。また、図３Ｄでは、モジュール１１のグループ分けは、矢印ｙ方向である妻方向でグループＧｄａ、Ｇｄｂに２分した例を示す。
【００８１】
次に、図４Ａ，図４Ｂに基づき、切妻屋根の場合を割付パターンを説明する。
切妻屋根の場合も屋根ＲＦにおける設置面は、陸屋根と同様に四角形状であることから、屋根ＲＦの傾斜に応じて、陸屋根と同様に、予め、所定単位の建物ユニットＵに対応して設置可能なモジュールの数が設定されており、これを屋上ブロックパターンに当てはめることで、モジュール１１の設置数および配置を決定することができる。
ただし、切妻屋根は、傾斜しているため、北向きに傾斜した屋根面にはモジュール１１を設置できない。また、棟を跨いでモジュールを設置することができない。
したがって、切妻屋根の場合、まず、屋上ブロックパターン上で、方位および棟の位置に基づいて、モジュール１１の設置面を設定する必要がある。
【００８２】
図４Ａに示す邸Ｔ４ａは、屋根ＲＦにおいて棟Ｍ４ａを挟んで図において下側の屋根面を設置面とする。この例の場合、１つの建物ユニットＵの屋上ブロックを１単位とし、桁方向に３つのモジュール１１、妻方向に２つのモジュールを設置するようにパターンデータが設定されている例を示している。
【００８３】
また、図４Ｂに示す邸Ｔ４ｂは、上記とは異なる切妻屋根の屋上ブロックパターンの他の例を示している。
邸Ｔ４ｂは、平面形状がＬ字形状に形成されており、邸Ｔ４ｂの東側と西側とでは、妻寸法が異なっており、東側の棟Ｍ４ｂａの位置と西側の棟Ｍ４ｂｂの位置とが妻方向で異なる位置に配置されている。このような場合には、屋根ＲＦにおけるモジュール１１の設置面が南北方向に異なって配置されるとともに、その面積も異なる。
【００８４】
また、この場合も、モジュール１１の発電容量により、モジュール１１を１つのパワーコンディショナ１２に接続する場合は、全てのモジュール１１が同一系統となるが、複数のパワーコンディショナ１２に接続する場合は、その発電容量に応じて、複数の系統に分ける。なお、この場合、モジュール１１は、配置によるグループ分けと、接続するパワーコンディショナ１２に対応する系統分けとは、それぞれ分ける基準が異なるため、グループと系統とが異なる分け方になる場合もある。
【００８５】
次に、寄棟屋根の場合を説明する。
図５は、寄棟屋根の一例である邸Ｔ５を示している。この例では、寄棟屋根は、棟Ｍ５ａ，Ｍ５ｂ,Ｍ５ｃ，Ｍ５ｄ，Ｍ５ｅを境に４面に区画され、各屋根面の平面形状が、三角形状あるいは台形状に形成されている。そこで、寄棟屋根に設置するモジュールも、図６Ａ、図６Ｂに示すように、平面形状がこれまで説明してきた長方形のモジュールに加え、台形状のモジュール１１ｂが設定されている。
【００８６】
さらに、その組み合わせも、種々の寄棟屋根の屋根面形状に対応可能なように、複数のパターン、すなわち、図６Ａに示す第１のパターンデータＰ６１、図６Ｂに示す第２のパターンデータＰ６２を含み、種々の大きさの三角形状、台形状の設置面に対応可能なように複数のパターンデータが予め設定されている。
【００８７】
また、この場合も、屋根ＲＦのうち、北向きの屋根面は、モジュール１１の設置面とはしない。
例えば、図５に示す例では、北向きの屋根面以外の屋根面を設置面として、モジュール１１，１１ｂは、各設置面に設置し、それぞれ、グループ分け（Ｇ５１、Ｇ５２，Ｇ５３）されている。
【００８８】
この場合も、モジュール１１，１１ｂは、その発電容量に応じ、接続するパワーコンディショナ１２に応じて系統分けするが、この系統分けは、グループ分け（Ｇ５１、Ｇ５２，Ｇ５３）に一致させてもよいし、配置以外を基準として分けてもよい。
また、図５に示す例は、最大設置可能数のモジュール１１，１１ｂを示すが、積算時には、南向きの屋根面のみに設置するように設定するなど、設置面を任意に設定することができる。
【００８９】
（実施の形態１の効果）
以下に、実施の形態１の太陽光発電装置設置支援システムＡの効果を列挙する。
１）実施の形態１の太陽光発電装置設置支援システムＡは、
予め、複数の建物としての住宅Ｈに関し、各住宅Ｈの屋根ＲＦの平面形状、屋根勾配、住宅Ｈの方位、住所を含む建物データが格納された建物データベースとしての住宅情報データベース２２と、
予め、設置する太陽光発電装置１０のモジュール（太陽電池モジュール）１１に関するデータが格納された太陽光発電装置データベース２１と、
住宅情報データベース２２に格納された建物データを読み込み建物データに基づいて、モジュール１１の設置数および配置を求める処理を実行する制御システム（管理サーバ２０およびコンピュータ３０）と、
を備えた太陽光発電装置設置支援システムであって、
制御システムは、
住宅情報データベース２２から、太陽光発電装置１０の設置対象となる住宅Ｈの情報（建
物データ）を読み込む処理（ステップＳ１０３）と、
読み込んだ情報（建物データ）における屋根ＲＦの平面形状、屋根勾配、住宅Ｈの方位に基づいて、屋根ＲＦにおけるモジュール１１を設置する設置面として屋上ブロックパターンを決定する処理（ステップＳ１０４ｂ）と、
特定した屋上ブロックパターンに対し、モジュール１１の設置数および配置を求める処理（ステップＳ１０５ｂ）と、
モジュール１１の設置数および配置を出力する処理（Ｓ１０８ｂ）と、
を実行することを特徴とする。
したがって、既設の住宅Ｈの情報に基づいてモジュール１１を設置する屋上ブロックパターンおよび割付パターン（配置）を求めるため、現地での屋根ＲＦの寸法の計測の手間が不要であり、かつ、衛星写真や単にメーカ、モデルなどから屋根勾配を特定する場合よりも、正確に屋根勾配を求めることができる。
これによって、モジュール１１の設置数および割付パターン（配置）を、高精度で求めることができる。
【００９０】
２）実施の形態１の太陽光発電装置設置支援システムＡは、
住宅情報データベース２２に格納された情報（建物データ）は、建築済みの住宅Ｈ（建物）のデータであることを特徴とする。
すなわち、顧客の建築済みの全ての住宅Ｈの情報を予め格納しておくことで、後に、リフォームなどにより太陽光発電装置を設置する際に、上記１）のように、計測の手間が不要であり、作業性に優れ、かつ、正確にモジュール１１の設置数および割付パターン（配置）を、高精度で求めることができる。
【００９１】
３）実施の形態１の太陽光発電装置設置支援システムＡは、
モジュール１１は、大きさおよび発電容量が異なる複数種類のものが設定されており、
コンピュータ３０におけるモジュール１１の設置数および配置を求める処理（Ｓ１０５ｂ）では、複数種類のモジュール１１の中から特定のモジュール１１を選択（メーカの特定）する操作（Ｓ１０５ａ）に応じ、選択されたモジュール１１の設置数および配置（割付パターン）を求めることを特徴とする。
複数種類のモジュール１１の中から任意のモジュール１１の設置が可能であり、単一のモジュール１１を設置する場合と比較して、種々の住宅Ｈに対するモジュール１１の設置自由度が向上する。そして、このような多様なモジュール１１に対して、上記のように高精度で設置数および割付パターン（配置）を求めることができる。
【００９２】
４）実施の形態１の太陽光発電装置設置支援システムＡは、
太陽光発電装置データベース２１には、モジュール１１の設置に伴い必要な、パワーコンディショナ１２を含む周辺機器に関するデータも格納され、
コンピュータ３０は、モジュール１１の設置数および割付パターン（配置）を求める処理（ステップＳ１０５ｂ）に続いて、モジュール１１の設置数に応じて必要となる周辺機器を求める処理（Ｓ１０６ｂ）を実行することを特徴とする。
したがって、モジュール１１のみならず、モジュール１１の設置に必要な周辺機器まで正確に求めることができる。
【００９３】
５）実施の形態１の太陽光発電装置設置支援システムＡは、
太陽光発電装置データベース２１には、モジュール１１の価格データが格納され、
コンピュータ３０は、モジュール１１の設置数および価格データに基づいて、太陽光発電装置１０の設置費用の見積額を算出する処理（Ｓ１０８ｂ）を実行することを特徴とする。
したがって、高精度のモジュール１１の設置数に基づいて、設置費用も高精度で求めることができる。
【００９４】
６）実施の形態１の太陽光発電装置設置支援システムＡは、
太陽光発電装置データベース２１には、モジュール１１の価格に加え、パワーコンディショナ１２を含みモジュール１１の設置に伴い必要な周辺機器に関する価格データが格納され、
制御システムは、設置費用の見積額の算出時に、必要な周辺機器の価格も含んで算出することを特徴とする。
したがって、実際に太陽光発電装置１０の設置にかかる費用を高精度で算出することができる。
【００９５】
７）実施の形態１の太陽光発電装置設置支援システムＡは、
制御システムは、設置費用の見積額の算出時に、
モジュール１１の複数の機種の算出要求があった場合、各機種に応じた見積額を算出するとともに、その複数の算出結果を出力する（図８）ことを特徴とする。
したがって、複数の機種の設置費用の見積額を知ることができる。
【００９６】
８）実施の形態１の太陽光発電装置設置支援システムＡは、
太陽光発電装置データベース２１には、予め設定された所定単位の設置面に応じて、設置可能なモジュール１１の設置数に関するパターンデータが予め格納され、
コンピュータ３０は、設置面（屋上ブロックパターン）に対するモジュール１１の設置数および配置を求める処理では、設置面の大きさと所定単位との関係およびパターンデータに基づいてモジュール１１の設置数および配置を求めることを特徴とする。
したがって、種々の設置面に応じて高精度でモジュール１１の設置数および配置を求めることができる。
【００９７】
９）実施の形態１の太陽光発電装置設置支援システムＡは、
モジュール１１の設置数および配置の出力と見積額の算出結果とのいずれかあるいは両方の出力は、コンピュータ３０の表示画面３１での画面表示であることを特徴とする。
したがって、邸Ｔにモジュール１１を設置する際に、その設置数、配置、見積額などを即時に、コンピュータ３０の表示画面３１で確認することができる。
【００９８】
１０）実施の形態１の太陽光発電装置設置支援システムＡは、
制御システムは、モジュール１１の複数の機種の見積額の算出結果を出力する場合、機種および見積額を、一覧可能に並列表示することを特徴とする。
したがって、複数の機種の見積額を、一覧し比較検討することができる。
【００９９】
１１）実施の形態１の太陽光発電装置設置支援方法は、
予め、複数の建物としての住宅Ｈに関し、各住宅Ｈの屋根ＲＦの平面形状、屋根勾配、住宅Ｈの方位、住所を含む建物データを格納するステップと、
予め、設置する太陽光発電装置１０のモジュール１１に関するデータを格納するステップと、
格納された住宅情報の中から、太陽光発電装置１０の設置対象となる住宅Ｈ（邸Ｔ）の住宅情報を読み込むステップ（Ｓ１０３）と、
読み込んだ住宅情報における屋根ＲＦの平面形状、屋根勾配、方位に基づいて、屋根ＲＦにおけるモジュール１１を設置する設置面（屋上ブロックパターン）を特定するステップ（Ｓ１０４ｂ）と、
特定した設置面（屋上ブロックパターン）に対し、モジュール１１の設置数および配置（割付パターン）を決定するステップ（Ｓ１０５ｂ）と、
モジュール１１の設置数および配置（割付パターン）を出力するステップ（Ｓ１０８ｂ）と、
を実行することを特徴とする。
したがって、既設の住宅Ｈの情報に基づいてモジュール１１を設置する屋上ブロックパターンおよび割付パターン（配置）を求めるため、現地での屋根ＲＦの寸法の計測の手間が不要であり、かつ、衛星写真や単にメーカ、モデルなどから屋根勾配を特定する場合よりも、正確に屋根勾配を求めることができる。
これによって、モジュール１１の設置数および割付パターン（配置）を、高精度で求めることができる。
【０１００】
１２）実施の形態１の太陽光発電装置設置支援プログラムは、
請求項８に記載の太陽光発電装置設置支援方法をコンピュータ３０および管理サーバ２０により実行可能とした太陽光発電装置設置支援プログラムとした。
したがって、この太陽光発電装置設置支援プログラムにより、既設の住宅Ｈの情報に基づいてモジュール１１を設置する屋上ブロックパターンおよび割付パターン（配置）を求めるため、現地での屋根ＲＦの寸法の計測の手間が不要であり、かつ、衛星写真や単にメーカ、モデルなどから屋根勾配を特定する場合よりも、正確に屋根勾配を求めることができる。
これによって、モジュール１１の設置数および割付パターン（配置）を、高精度で求めることができる。
【０１０１】
以上、図面を参照して、本発明の実施の形態を詳述してきたが、具体的な構成は、この実施の形態に限らず、本発明の要旨を逸脱しない程度の設計的変更は、本発明に含まれる。
【０１０２】
例えば、実施の形態では、本発明を適用する建物として住宅を例に挙げたが、住宅以外の建物に適用することも可能である。
また、ステップＳ１０５ｂにおけるモジュールの設置数、設置プランを決定する具体的な処理は、実施の形態で説明した例以外の処理も適宜適用することができる。要は、予め複数の建物に関し、各建物の屋根の平面形状、屋根勾配、前記建物の方位、住所を含む建物データを建物データベースに格納するとともに、太陽電池モジュールに関するデータ太陽光発電装置データベースに格納し、これら格納したデータに基づいてモジュールの設置数および配置を求めるものであれば、本発明に含まれる。
また、実施の形態では、建築済みの住宅のリフォームの場合に、本開示の太陽光発電装置設置支援システム、太陽光発電装置設置支援方法、および太陽光発電装置設置支援プログラムを適用する例を示したが、これに限定されず、建物データとして、新規に建設する建物のデータを用いることにより、新築の建物にも適用することができる。また、建物としても、ユニット建物以外の建物にも適用することができる。すなわち、建物に関する設計図面などがあれば、単位面積あたりのモジュールの配置を予め設定しておくことで、適用可能である。
【符号の説明】
【０１０３】
１０   太陽光発電装置
１１   モジュール（太陽電池モジュール）
１１ｂ モジュール（太陽電池モジュール）
１２   パワーコンディショナ
２０   管理サーバ（制御装置）
２１   太陽光発電装置データベース
２２   住宅情報データベース
３０   コンピュータ（制御装置）
Ａ     太陽光発電装置設置支援システム
Ｈ     住宅（建物）
ＲＦ   屋根
Ｕ     建物ユニット
【図１】
2018173932.tif 000003
【図２】
2018173932.tif 000004
【図３Ａ】
2018173932.tif 000005
【図３Ｂ】
2018173932.tif 000006
【図３Ｃ】
2018173932.tif 000007
【図３Ｄ】
2018173932.tif 000008
【図４Ａ】
2018173932.tif 000009
【図４Ｂ】
2018173932.tif 000010
【図５】
2018173932.tif 000011
【図６Ａ】
2018173932.tif 000012
【図６Ｂ】
2018173932.tif 000013
【図７】
2018173932.tif 000014
【図８】
2018173932.tif 000015
【図９Ａ】
2018173932.tif 000016
【図９Ｂ】
2018173932.tif 000017
【図１０】
2018173932.tif 000018
【図１１】
2018173932.tif 000019